(57)【要約】【課題】  等価直列インダクタンスの低減を図りつつ、広帯域にわたって低インピーダンスである積層コンデンサを提供すること。【解決手段】    積層体１は、第１及び第２のコンデンサ部１１、１３を有する。第１のコンデンサ部１１は、第１及び第２の内部電極２１，２３を含む。第２のコンデンサ部１３は、第３及び第４の内部電極２５、２７を含む。第１〜第４の内部電極２１、２３、２５、２７は引き出し導体３１Ａ〜３１Ｄ、３３Ａ〜３３Ｄ、３５、３７を介してそれぞれ第１〜第４の端子電極３Ａ〜３Ｄ、５Ａ〜５Ｄ、７、９に電気的に接続されている。含まれる内部電極の積層数の違いにより、第１及び第２のコンデンサ部１１、１３の静電容量は異なる。【選択図】  図２
2006286731.tif 000002
【特許請求の範囲】
【請求項１】
複数の誘電体層と複数の内部電極とが交互に積層された積層体と、当該積層体の側面上に形成された複数の端子電極群と、を備えた積層コンデンサであって、
前記積層体は、複数の第１及び第２の内部電極を前記複数の内部電極として含む第１のコンデンサ部と、第３及び第４の内部電極を前記複数の内部電極として含む第２のコンデンサ部とを有し、
前記複数の端子電極群は、複数の第１の端子電極と第３の端子電極とを含む第１の端子電極群と、複数の第２の端子電極と第４の端子電極とを含む第２の端子電極群とを有し、
前記複数の第１及び第２の端子電極は互いに電気的に絶縁され、前記第３及び第４の端子電極は互いに電気的に絶縁され、
前記複数の第１の内部電極はそれぞれ、引き出し導体を介して前記複数の第１の端子電極のうちいずれか１つに電気的に接続されるとともに、前記複数の第１の端子電極はそれぞれ、前記複数の第１の内部電極の少なくとも１つに電気的に接続され、
前記複数の第２の内部電極はそれぞれ、引き出し導体を介して前記複数の第２の端子電極のうちいずれか１つに電気的に接続されるとともに、前記複数の第２の端子電極はそれぞれ、前記複数の第２の内部電極の少なくとも１つに電気的に接続され、
前記第３の内部電極は、引き出し導体を介して前記第３の端子電極に電気的に接続され、
前記第４の内部電極は、引き出し導体を介して前記第４の端子電極に電気的に接続され、
前記第１の端子電極群に含まれる前記第１及び第３の端子電極の何れかと、前記第２の端子電極群に含まれる前記第２及び第４の端子電極の何れかとが、前記積層体の側面に沿って周回する方向に関して交互に、前記積層体の側面上に配置されているとともに、
前記第１のコンデンサ部の静電容量と、前記第２のコンデンサ部の静電容量とが異なることを特徴とする積層コンデンサ。
【請求項２】
複数の誘電体層と複数の内部電極とが交互に積層された略直方体状の積層体と、当該積層体の側面上に形成された複数の端子電極と、を備えた積層コンデンサであって、
前記複数の端子電極は、互いに電気的に絶縁されたそれぞれ４つの第１及び第２の端子電極と、互いに電気的に絶縁された第３及び第４の端子電極とを含み、
略直方体状の前記積層体は、前記積層体の積層方向と平行でかつ互いに対向する第１及び第２の側面と、前記積層体の積層方向と平行でかつ互いに対向する第３及び第４の側面とを有し、
前記第１の側面上には、前記第４の側面から前記第３の側面に向かう方向で、前記４つの第１及び第２の端子電極のうちそれぞれ２つの第１及び第２の端子電極が、この順で交互に配置されており、
前記第２の側面上には、前記第４の側面から前記第３の側面に向かう方向で、前記４つの第１及び第２の端子電極のうち前記第１の側面に配置された前記２つの第１及び第２の端子電極以外の残りのそれぞれ２つの第１及び第２の端子電極が、この順で交互に配置されており、
前記第３の側面上には、前記第３の端子電極が配置され、
前記第４の側面上には、前記第４の端子電極が配置され、
前記積層体は、前記複数の第１及び第２の内部電極を前記複数の内部電極として含む第１のコンデンサ部と、第３及び第４の内部電極を前記複数の内部電極として含む第２のコンデンサ部とを有し、
前記複数の第１の内部電極はそれぞれ、引き出し導体を介して前記４つの第１の端子電極のうちいずれか１つに電気的に接続されるとともに、前記４つの第１の端子電極はそれぞれ、前記複数の第１の内部電極の少なくとも１つに電気的に接続され、
前記複数の第２の内部電極はそれぞれ、引き出し導体を介して前記４つの第２の端子電極のうちいずれか１つに電気的に接続されるとともに、前記４つの第２の端子電極はそれぞれ、前記複数の第２の内部電極の少なくとも１つに電気的に接続され、
前記第３の内部電極は、引き出し導体を介して前記第３の端子電極に電気的に接続され、
前記第４の内部電極は、引き出し導体を介して前記第４の端子電極に電気的に接続され、
前記第１のコンデンサ部の静電容量と、前記第２のコンデンサ部の静電容量とが異なることを特徴とする積層コンデンサ。
【請求項３】
前記第２のコンデンサ部の静電容量は、前記第１のコンデンサ部の静電容量に比べて小さいことを特徴とする請求項１又は請求項２に記載の積層コンデンサ。
【発明の詳細な説明】
【技術分野】
【０００１】
本発明は、積層コンデンサに関する。
【背景技術】
【０００２】
この種の積層コンデンサとして、複数の誘電体層と複数の内部電極とが交互に積層された積層体と、当該積層体に形成された複数の端子電極とを備えたものが知られている（例えば、特許文献１参照）。特許文献１に記載された積層コンデンサでは、複数の端子電極を備え、これらの端子電極と内部電極とを接続する引き出し電極の幅方向の寸法を調節することによって、等価直列インダクタンスの低減を図っている。
【特許文献１】特開２０００−２０８３６１号公報
【発明の開示】
【発明が解決しようとする課題】
【０００３】
近年、電子機器に用いられる電源回路の高周波数化に伴い、電源回路に適用される積層コンデンサの等価直列インダクタンス（ＥＳＬ）の低減化がより一層求められている。しかしながら、特許文献１に記載の積層コンデンサでは、直方体状である積層体の対向する２側面にしか端子電極が配置されておらず、等価直列インダクタンスの低減が十分であるとはいえない。
【０００４】
一方、ノイズ除去のために電子機器の電源回路等に接続される積層コンデンサでは、広い周波数帯域でノイズ除去の効果を発揮することが要求される。そのため、広い周波数帯域でノイズを効果的に除去できるよう、この種の積層コンデンサでは広帯域にわたって低インピーダンスであることが求められている。しかしながら、特許文献１に記載の積層コンデンサでは、広帯域にわたってインピーダンスを低くするための検討が行われていない。そのため、特許文献１に記載の積層コンデンサでは、広帯域にわたってインピーダンスを低くすることができず、広い周波数帯域でノイズを効果的に除去することが困難となるおそれがある。
【０００５】
本発明は、上記問題点を解消するためになされたものであり、等価直列インダクタンスの低減を図りつつ、広帯域にわたって低インピーダンスである積層コンデンサを提供することを目的とする。
【課題を解決するための手段】
【０００６】
本発明者等は、広帯域にわたって低インピーダンス化したいという要求と等価直列インダクタンスを低減したいという要求をともに満たし得る積層コンデンサについて鋭意研究を行った。その結果、本発明者等は、２つの静電容量の異なるコンデンサ部を有することで広帯域化が可能となる上、極性の異なる端子電極を交互に配置することができるように積層体に端子電極を形成することで等価直列インダクタンスを小さくすることが可能となるという新たな事実を見出すに至った。
【０００７】
このような研究結果を踏まえ、本発明による積層コンデンサは、複数の誘電体層と複数の内部電極とが交互に積層された積層体と、当該積層体の側面上に形成された複数の端子電極群と、を備えた積層コンデンサであって、積層体は、複数の第１及び第２の内部電極を複数の内部電極として含む第１のコンデンサ部と、第３及び第４の内部電極を複数の内部電極として含む第２のコンデンサ部とを有し、複数の端子電極群は、複数の第１の端子電極と第３の端子電極とを含む第１の端子電極群と、複数の第２の端子電極と第４の端子電極とを含む第２の端子電極群とを有し、複数の第１及び第２の端子電極は互いに電気的に絶縁され、第３及び第４の端子電極は互いに電気的に絶縁され、複数の第１の内部電極はそれぞれ、引き出し導体を介して複数の第１の端子電極のうちいずれか１つに電気的に接続されるとともに、複数の第１の端子電極はそれぞれ、複数の第１の内部電極の少なくとも１つに電気的に接続され、複数の第２の内部電極はそれぞれ、引き出し導体を介して複数の第２の端子電極のうちいずれか１つに電気的に接続されるとともに、複数の第２の端子電極はそれぞれ、複数の第２の内部電極の少なくとも１つに電気的に接続され、第３の内部電極は、引き出し導体を介して第３の端子電極に電気的に接続され、第４の内部電極は、引き出し導体を介して第４の端子電極に電気的に接続され、第１の端子電極群に含まれる第１及び第３の端子電極の何れかと、第２の端子電極群に含まれる第２及び第４の端子電極の何れかとが、積層体の側面に沿って周回する方向に関して交互に、積層体の側面上に配置されているとともに、第１のコンデンサ部の静電容量と、第２のコンデンサ部の静電容量とが異なることを特徴とする。
【０００８】
また、本発明による積層コンデンサは、複数の誘電体層と複数の内部電極とが交互に積層された略直方体状の積層体と、当該積層体の側面上に形成された複数の端子電極と、を備えた積層コンデンサであって、複数の端子電極は、互いに電気的に絶縁されたそれぞれ４つの第１及び第２の端子電極と、互いに電気的に絶縁された第３及び第４の端子電極とを含み、略直方体状の前記積層体は、積層体の積層方向と平行でかつ互いに対向する第１及び第２の側面と、積層体の積層方向と平行でかつ互いに対向する第３及び第４の側面とを有し、第１の側面上には、第４の側面から第３の側面に向かう方向で、４つの第１及び第２の端子電極のうちそれぞれ２つの第１及び第２の端子電極が、この順で交互に配置されており、第２の側面上には、第４の側面から第３の側面に向かう方向で、４つの第１及び第２の端子電極のうち第１の側面に配置された２つの第１及び第２の端子電極以外の残りのそれぞれ２つの第１及び第２の端子電極が、この順で交互に配置されており、第３の側面上には、第３の端子電極が配置され、第４の側面上には、第４の端子電極が配置され、積層体は、複数の第１及び第２の内部電極を複数の内部電極として含む第１のコンデンサ部と、第３及び第４の内部電極を複数の内部電極として含む第２のコンデンサ部とを有し、複数の第１の内部電極はそれぞれ、引き出し導体を介して４つの第１の端子電極のうちいずれか１つに電気的に接続されるとともに、４つの第１の端子電極はそれぞれ、複数の第１の内部電極の少なくとも１つに電気的に接続され、複数の第２の内部電極はそれぞれ、引き出し導体を介して４つの第２の端子電極のうちいずれか１つに電気的に接続されるとともに、４つの第２の端子電極はそれぞれ、複数の第２の内部電極の少なくとも１つに電気的に接続され、第３の内部電極は、引き出し導体を介して第３の端子電極に電気的に接続され、第４の内部電極は、引き出し導体を介して第４の端子電極に電気的に接続され、第１のコンデンサ部の静電容量と、前記第２のコンデンサ部の静電容量とが異なることを特徴とする。
【０００９】
これらの積層コンデンサは、静電容量の異なる第１及び第２のコンデンサ部を有するため、２つの共振周波数を持つ。その結果、この積層コンデンサでは、広い周波数帯域にわたっての低インピーダンス化が可能となる。また、これらの積層コンデンサのような端子電極の配置によると、例えば第１及び第３の端子電極をプラスの電極に接続し、第２及び第４の端子電極をマイナスの電極に接続した場合、積層体の側面に沿って周回する方向で見て、異なる極性に接続されている端子電極が交互に配置されることとなる。そのため、積層体の側面に沿って周回する方向に関して隣り合う引き出し導体には、互いに逆向きの電流が流れることととなる。その結果、これらの電流に起因して発生する磁界が相殺され、この積層コンデンサでは等価直列インダクタンスが低減されることとなる。
【００１０】
また、第２のコンデンサ部の静電容量は、第１のコンデンサ部の静電容量に比べて小さいことが好ましい。この場合、第２のコンデンサ部によって、高周波数帯域での低インピーダンス化が実現される。
【発明の効果】
【００１１】
本発明によれば、等価直列インダクタンスの低減を図りつつ、広帯域にわたって低インピーダンスである積層コンデンサを提供することができる。
【発明を実施するための最良の形態】
【００１２】
以下、添付図面を参照して、本発明の好適な実施形態について詳細に説明する。なお、説明において、同一要素又は同一機能を有する要素には、同一符号を用いることとし、重複する説明は省略する。
【００１３】
（第１実施形態）
図１及び図２を参照して、第１実施形態に係る積層コンデンサＣ１の構成について説明する。図１は、第１実施形態に係る積層コンデンサの斜視図である。図２は、第１実施形態に係る積層コンデンサに含まれる積層体の分解斜視図である。
【００１４】
積層コンデンサＣ１は、図１に示すように、略直方体形状をした積層体１と、積層体１に形成された第１及び第２の端子電極群を備える。第１の端子電極群は、複数の第１の端子電極３Ａ〜３Ｄと第３の端子電極５とを含む。第２の端子電極群は、複数の第２の端子電極５Ａ〜５Ｄと第４の端子電極９とを含む。
【００１５】
第１及び第２の端子電極３Ａ〜３Ｄ、５Ａ〜５Ｄは、後述する積層体１の積層方向と平行でかつ互いに対向する積層体１の第１及び第２の側面１ａ、１ｂ上に形成されている。第３及び第４の端子電極７、９は、積層体１の積層方向と平行でかつ互いに対向する積層体１の第３及び第４の側面１ｃ、１ｄ上に形成されている。
【００１６】
第１の端子電極３Ａ、３Ｂは、積層体１の第１の側面１ａ上に形成されている。第１の端子電極３Ｃ、３Ｄは、第１の側面１ａと対向する積層体１の第２の側面１ｂ上に形成されている。第２の端子電極５Ａ、５Ｂは、積層体１の第１の側面１ａ上に形成されている。第２の端子電極５Ｃ、５Ｄは、第１の側面１ａと対向する積層体１の第２の側面１ｂ上に形成されている。
【００１７】
第１及び第２の側面１ａ、１ｂ上では、第１及び第２の端子電極３Ａ〜３Ｄ、５Ａ〜５Ｄが交互に配置されている。すなわち、第１の側面１ａ上には、第４の側面１ｄから第３の側面１ｃに向かう方向で、４つの第１及び第２の端子電極３Ａ〜３Ｄ、５Ａ〜５Ｄのうちそれぞれ２つの第１及び第２の端子電極３Ａ、３Ｂ、５Ａ、５Ｂが、第１の端子電極、第２の端子電極の順で配置されている。より具体的には、第１の側面１ａ上には、第４の側面１ｄから第３の側面１ｃに向かう方向で、第１の端子電極３Ａ、第２の端子電極５Ａ、第１の端子電極３Ｂ、第２の端子電極５Ｂがこの順で配置されている。
【００１８】
また、第２の側面１ｂ上には、第４の側面１ｄから第３の側面１ｃに向かう方向で、４つの第１及び第２の端子電極３Ａ〜３Ｄ、５Ａ〜５Ｄのうち、第１の側面１ａに配置された２つの第１及び第２の端子電極３Ａ、３Ｂ、５Ａ、５Ｂ以外の残りのそれぞれ２つの第１及び第２の端子電極３Ｃ、３Ｄ、５Ｃ、５Ｄが、第１の内部電極、第２の内部電極の順で配置されている。より具体的には、第２の側面１ｂ上には、第４の側面１ｄから第３の側面１ｃに向かう方向で、第１の端子電極３Ｃ、第２の端子電極５Ｃ、第１の端子電極３Ｄ、第２の端子電極５Ｄがこの順で配置されている。
【００１９】
第１の端子電極３Ａ〜３Ｄと第２の端子電極５Ａ〜５Ｄとは、互いに電気的に絶縁されている。
【００２０】
第３の端子電極７は、積層体１の第３の側面１ｃ上に形成されている。第４の端子電極９は、第３の側面１ｃと対向する積層体１の第４の側面１ｄ上に形成されている。第３の端子電極７と第４の端子電極９とは、互いに電気的に絶縁されている。
【００２１】
このように、積層体１の第１〜第４の側面１ａ〜１ｄ上においては、積層体１の積層方向と平行な積層体１の側面（第１〜第４の側面１ａ〜１ｄ）に沿って、積層方向と交差するように周回する方向に関して、第１の端子電極群に含まれる第１及び第３の端子電極３Ａ〜３Ｄ、７の何れかと、第２の端子電極群に含まれる第２及び第４の端子電極５Ａ〜５Ｄ、９の何れかとが交互に配置されている。すなわち、積層体１の第１〜第４の側面１ａ〜１ｄ上において、積層方向と交差する積層体１の底面の周縁に沿って、この周縁を積層方向と交差するように周回する方向に関して、第１の端子電極群に含まれる第１及び第３の端子電極３Ａ〜３Ｄ、７の何れかと、第２の端子電極群に含まれる第２及び第４の端子電極５Ａ〜５Ｄ、９の何れかとが交互に配置されている。
【００２２】
積層体１は、図２に示すように、第１のコンデンサ部１１と第２のコンデンサ部１３とを有する。積層体１は、第１のコンデンサ部１１と第２のコンデンサ部１３とが、一体となって形成されている。
【００２３】
まず、第１のコンデンサ部１１の構成について説明する。第１のコンデンサ部１１は、複数（本実施形態では、９層）の誘電体層１０と、複数（本実施形態では、各４層）の第１及び第２の内部電極２１、２３とを含む。第１及び第２の内部電極２１、２３は誘電体層１０を介して積層されている。実際の積層コンデンサＣ１では、誘電体層１０の間の境界が視認できない程度に一体化されている。
【００２４】
各第１の内部電極２１は、図２に示すように、矩形状を呈している。各第１の内部電極２１は、第１及び第２の内部電極２１、２３の積層方向（以下、単に「積層方向」と称する。）と平行な積層体１の第１〜第４の側面１ａ〜１ｄそれぞれから所定の間隔を有して位置している。また、各誘電体層１０も、図２に示すように、矩形状を呈している。
【００２５】
複数の第１の内部電極２１にはそれぞれ、引き出し導体３１Ａ〜３１Ｄの何れかが一つずつ形成されている。引き出し導体３１Ａ、３１Ｂは、積層体１の第１の側面１ａに引き出されるように第１の内部電極２１から伸びている。引き出し導体３１Ｃ、３１Ｄは、積層体１の第２の側面１ｂに引き出されるように第１の内部電極２１から伸びている。
【００２６】
各第１の内部電極２１は、引き出し導体３１Ａ〜３１Ｄを介して４つある第１の端子電極３Ａ〜３Ｄのうちいずれか一つに電気的に接続されている。また、４つの第１の端子電極３Ａ〜３Ｄはそれぞれ、複数の第１の内部電極２１の少なくとも１つに電気的に接続されている。
【００２７】
具体的には、引き出し導体３１Ａが形成された第１の内部電極２１は、この引き出し導体３１Ａを介して第１の端子電極３Ａに電気的に接続される。引き出し導体３１Ｂが形成された第１の内部電極２１は、この引き出し導体３１Ｂを介して第１の端子電極３Ｂに電気的に接続される。引き出し導体３１Ｃが形成された第１の内部電極２１は、この引き出し導体３１Ｃを介して第１の端子電極３Ｃに電気的に接続される。引き出し導体３１Ｄが形成された第１の内部電極２１は、この引き出し導体３１Ｄを介して第１の端子電極３Ｄに電気的に接続される。
【００２８】
各第２の内部電極２３は、図２に示すように、矩形状を呈している。各第２の内部電極２３は、積層方向と平行な積層体１の第１〜第４の側面１ａ〜１ｄから所定の間隔を有して位置している。
【００２９】
複数の第２の内部電極２３にはそれぞれ、引き出し導体３３Ａ〜３３Ｄの何れかが一つずつ形成されている。引き出し導体３３Ａ、３３Ｂは、積層体１の第１の側面１ａに引き出されるように第２の内部電極２３から伸びている。引き出し導体３３Ｃ、３３Ｄは、積層体１の第２の側面１ｂに引き出されるように第２の内部電極２３から伸びている。
【００３０】
各第２の内部電極２３は、引き出し導体３３Ａ〜３３Ｄを介して４つある第２の端子電極５Ａ〜５Ｄのうちいずれか一つに電気的に接続されている。また、４つの第２の端子電極５Ａ〜５Ｄはそれぞれ、複数の第２の内部電極２３の少なくとも１つに電気的に接続されている。
【００３１】
具体的には、引き出し導体３３Ａが形成された第２の内部電極２３は、この引き出し導体３３Ａを介して第２の端子電極５Ａに電気的に接続される。引き出し導体３３Ｂが形成された第２の内部電極２３は、この引き出し導体３３Ｂを介して第２の端子電極５Ｂに電気的に接続される。引き出し導体３３Ｃが形成された第２の内部電極２３は、この引き出し導体３３Ｃを介して第２の端子電極５Ｃに電気的に接続される。引き出し導体３３Ｄが形成された第２の内部電極２３は、この引き出し導体３３Ｄを介して第２の端子電極５Ｄに電気的に接続される。
【００３２】
次に、第２のコンデンサ部１３の構成について説明する。第２のコンデンサ部１３は、複数（本実施形態では、２層）の誘電体層１０と、本実施形態では各１層の第３及び第４の内部電極２５、２７とを含む。実際の積層コンデンサＣ１では、誘電体層１０の間の境界が視認できない程度に一体化されている。
【００３３】
第３及び第４の内部電極２５、２７の積層数は、第１及び第２の内部電極２１、２３の積層数と異なる。本実施形態では、第３及び第４の内部電極２５、２７の積層数は各１層であり、第１及び第２の内部電極２１、２３の積層数（各４層）に比べて少ない。
【００３４】
第３の内部電極２５は、図２に示すように、矩形状を呈している。第３の内部電極２５は、積層方向と平行な積層体１の第１〜第４の側面１ａ〜１ｄそれぞれから所定の間隔を有して位置している。
【００３５】
第３の内部電極２５には、引き出し導体３５が一つ形成されている。引き出し導体３５は、積層体１の第３の側面１ｃに引き出されるように第３の内部電極２５から伸びている。第３の内部電極２５は、引き出し導体３５を介して第３の端子電極７に電気的に接続されている。
【００３６】
第４の内部電極２７は、図２に示すように、矩形状を呈している。第４の内部電極２７は、積層方向と平行な積層体１の第１〜第４の側面１ａ〜１ｄそれぞれから所定の間隔を有して位置している。
【００３７】
第４の内部電極２７には、引き出し導体３７が一つ形成されている。引き出し導体３７は、積層体１の第４の側面１ｄに引き出されるように第４の内部電極２７から伸びている。各第４の内部電極２７は、引き出し導体３７を介して第４の端子電極９に電気的に接続されている。
【００３８】
また、積層体１では、図２に示すように、第１又は第３の内部電極２１、２５と第２又は第４の内部電極２３、２７とが、積層方向に沿って交互に配置されている例が示されている。すなわち、第３の内部電極２５は、第１及び第２の内部電極２１、２３が交互に配置されているとした場合の第１の内部電極２１の位置に配置されている。第４の内部電極２７は、第１及び第２の内部電極２１、２３が交互に配置されているとした場合の第２の内部電極２３の位置に配置されている。
【００３９】
第１のコンデンサ部１１に含まれる第１及び第２の内部電極２１、２３はそれぞれ、第１及び第２の端子電極３Ａ〜３Ｄ、５Ａ〜５Ｄと電気的に接続される。一方、第２のコンデンサ部１３に含まれる第３及び第４の内部電極２５、２７はそれぞれ、第３及び第４の端子電極７、９と電気的に接続される。したがって、第１のコンデンサ部１１と第２のコンデンサ部１３とは並列に接続される関係となる。
【００４０】
積層コンデンサＣ１の等価回路図を図３に示す。積層コンデンサＣ１の等価回路は、第１のコンデンサ部１１と第２のコンデンサ部１３との並列回路からなる。一般的に、コンデンサには残留インダクタンスと残留抵抗が存在する。そのため、図３に示すように、第１のコンデンサ部１１の等価回路には静電容量Ｃ１１のほか、インダクタンスＬ１１及び抵抗Ｒ１２が存在する。第２のコンデンサ部１３の等価回路には静電容量Ｃ１３のほか、インダクタンスＬ１３及び抵抗Ｒ１３が存在する。
【００４１】
第１及び第２のコンデンサ部１１、１３はそれぞれ、内部電極の積層数が異なり、静電容量が異なる。すなわち、積層コンデンサＣ１では、第１のコンデンサ部１１に含まれる第１及び第２の内部電極２１、２３の積層数が、第２のコンデンサ部１３に含まれる第３及び第４の内部電極２５、２７の積層数より大きい。したがって、第１のコンデンサ部１１の静電容量Ｃ１１は第２のコンデンサ部１３の静電容量Ｃ１３より大きい。
【００４２】
コンデンサのインダクタンスをＬ、静電容量をＣとすると、コンデンサの共振周波数ｆは式（１）によって表される。式（１）より、第１のコンデンサ部１１の共振周波数ｆ１と、第２のコンデンサ部１３の共振周波数ｆ２とでは値が異なることがわかる。
ｆ＝１／２π・sqrt（Ｌ・Ｃ）    …（１）
【００４３】
特に、第２のコンデンサ部１３に含まれる第３及び第４の内部電極２５、２７の積層数が、第１のコンデンサ部１１に含まれる第１及び第２の内部電極２１、２３の積層数より小さいと、共振周波数ｆ２は共振周波数ｆ１に比べて大きくなる。
【００４４】
図４に、積層コンデンサＣ１の周波数に関するインピーダンス特性を表すグラフを示す。図４に示したグラフの横軸は周波数（Ｈｚ）を表し、縦軸はインピーダンス（Ω）を表す。静電容量の大きい第１のコンデンサ部１１単体のインピーダンス特性は、グラフＧ１１、Ｇ１２で表され、共振周波数ｆ１にのみインピーダンスが極小となる点を有する。第１のコンデンサ部１１より静電容量の小さい第２のコンデンサ部１３単体のインピーダンス特性は、グラフＧ１３、Ｇ１４で表され、共振周波数ｆ２にのみインピーダンスが極小となる点を有する。一方、静電容量の異なる第１及び第２のコンデンサ部１１、１３を並列接続してなる積層コンデンサＣ１のインピーダンス特性は、グラフＧ１１、Ｇ１４で表され、共振周波数ｆ１、ｆ２の双方にインピーダンスが極小となる点を有する。このように、積層コンデンサＣ１は静電容量の異なる第１及び第２のコンデンサ部１１、１３を有しているため、１つの静電容量をもつ場合と比べ、広い周波数帯域にわたってインピーダンスを低くすることが可能となる。
【００４５】
特に、積層コンデンサＣ１では、第２のコンデンサ部１３の静電容量Ｃ１３が、第１のコンデンサ部１１の静電容量Ｃ１１に比べて小さい。そのため、第２のコンデンサ部１３の共振周波数ｆ２は第１のコンデンサ部１１の共振周波数ｆ１より大きくなる。したがって、第２のコンデンサ部１３は第１のコンデンサ部１１だけではインピーダンス特性を良好にできない高周波数帯において、低インピーダンス化を担うこととなる。その結果、積層コンデンサＣ１では、高周波数帯域においてもインピーダンスを低下させることが可能となる。
【００４６】
第１〜第４の内部電極２１、２３、２５、２７は、引き出し導体３１Ａ〜３１Ｄ、３３Ａ〜３３Ｄ、３５、３７を介して第１〜第４の端子電極３Ａ〜３Ｄ、５Ａ〜５Ｄ、７、９にそれぞれ接続される。また、第１及び第２の側面１ａ、１ｂ上ではそれぞれ、第４の側面１ｄから第３の側面１ｃに向かう方向で、第１及び第２の端子電極３Ａ〜３Ｄ、５Ａ〜５Ｄが、第１の端子電極、第２の端子電極の順で交互に配置され、さらに第３の側面１ｃ上では第３の端子電極７が、第４の側面１ｄ上では第４の端子電極９が配置されている。すなわち、積層体１の第１〜第４の側面１ａ〜１ｄ上においては、積層体１の積層方向と平行な側面に沿って積層方向と交差するように周回する方向に関して、第１の端子電極群に含まれる第１及び第３の端子電極３Ａ〜３Ｄ、７の何れかと、第２の端子電極群に含まれる第２及び第４の端子電極５Ａ〜５Ｄ、９の何れかとが交互に配置されている。そのため、第１の端子電極群（第１及び第３の端子電極３Ａ〜３Ｄ、７）と第２の端子電極群（第２及び第４の端子電極５Ａ〜５Ｄ、９）とを異なる極性に接続した場合、積層体１の側面に沿って周回する方向で見て、異なる極性に接続されている端子電極が交互に配置されることとなる。これにより、積層体１の側面に沿って周回する方向に関して隣り合う引き出し導体には、互いに逆向きの電流が流れることととなる。その結果、これらの電流に起因して発生する磁界が相殺され、この積層コンデンサＣ１では等価直列インダクタンスが低減されることとなる。
【００４７】
このように、積層コンデンサＣ１では、等価直列インダクタンスの低減を図りつつ、広帯域にわたって低インピーダンス化を図ることが可能となる。また、本実施形態では、第３の内部電極２５と第４の内部電極２７とが、積層体１の積層方向で互いに隣り合わないように配置されている。すなわち、第３の内部電極２５と第４の内部電極２７との間に第１及び第２の内部電極２１、２３の双方又はいずれか一方が位置するように配置されている。
【００４８】
（第２実施形態）
図５及び図６を参照して、第２実施形態に係る積層コンデンサＣ２の構成について説明する。第２実施形態に係る積層コンデンサＣ２は、第１及び第２の端子電極の数の点で、第１実施形態に係る積層コンデンサＣ１と相違する。図５は、第２実施形態に係る積層コンデンサの斜視図である。図６は、第２実施形態に係る積層コンデンサに含まれる積層体の分解斜視図である。
【００４９】
積層コンデンサＣ２は、図５に示すように、略直方体形状をした積層体１と、積層体１に形成された第１及び第２の端子電極群を備える。第１の端子電極群は、複数の第１の端子電極３Ａ、３Ｂと第３の端子電極５とを含む。第２の端子電極群は、複数の第２の端子電極５Ａ、５Ｂと第４の端子電極９とを含む。
【００５０】
第１及び第２の端子電極３Ａ、３Ｂ、５Ａ、５Ｂは、積層体１の積層方向と平行でかつ互いに対向する積層体１の第１及び第２の側面１ａ、１ｂ上に形成されている。第３及び第４の端子電極７、９は、積層体１の積層方向と平行でかつ互いに対向する積層体１の第３及び第４の側面１ｃ、１ｄ上に形成されている。
【００５１】
第１の端子電極３Ａは、積層体１の第１の側面１ａ上に形成されている。第１の端子電極３Ｂは、第１の側面１ａと対向する積層体１の第２の側面１ｂ上に形成されている。第２の端子電極５Ａは、積層体１の第１の側面１ａ上に形成されている。第２の端子電極５Ｂは、第１の側面１ａと対向する積層体１の第２の側面１ｂ上に形成されている。
【００５２】
第１の側面１ａ上には、第１及び第２の端子電極３Ａ、５Ａが、第４の側面１ｄから第３の側面１ｃに向かう方向に関してこの順で配置されている。第２の側面１ｂ上には、第１及び第２の端子電極３Ｂ、５Ｂが、第４の側面１ｄから第３の側面１ｃに向かう方向に関してこの順で配置されている。第１の端子電極３Ａ、３Ｂと第２の端子電極５Ａ、５Ｂとは、互いに電気的に絶縁されている。
【００５３】
第３の端子電極７は、積層体１の第３の側面１ｃ上に形成されている。第４の端子電極９は、第３の側面１ｃと対向する積層体１の第４の側面１ｄ上に形成されている。第３の端子電極７と第４の端子電極９とは、互いに電気的に絶縁されている。
【００５４】
このように、積層体１の第１〜第４の側面１ａ〜１ｄ上においては、積層体１の積層方向と平行な積層体１の側面（第１〜第４の側面１ａ〜１ｄ）に沿って、積層方向と交差するように周回する方向に関して、第１の端子電極群に含まれる第１及び第３の端子電極３Ａ、３Ｂ、７の何れかと、第２の端子電極群に含まれる第２及び第４の端子電極５Ａ、５Ｂ、９の何れかとが交互に配置されている。すなわち、積層体１の第１〜第４の側面１ａ〜１ｄ上において、積層方向と交差する積層体１の底面の周縁に沿って、この周縁を積層方向と交差するように周回する方向に関して、第１の端子電極群に含まれる第１及び第３の端子電極３Ａ、３Ｂ、７の何れかと、第２の端子電極群に含まれる第２及び第４の端子電極５Ａ、５Ｂ、９の何れかとが交互に配置されている。
【００５５】
積層体１は、図６に示すように、第１のコンデンサ部１１と第２のコンデンサ部１３とを有する。積層体１は、第１のコンデンサ部１１と第２のコンデンサ部１３とが、一体となって形成されている。
【００５６】
まず、第１のコンデンサ部１１の構成について説明する。第１のコンデンサ部１１は、複数（本実施形態では、９層）の誘電体層１０と、複数（本実施形態では、各４層）の第１及び第２の内部電極２１、２３とを含む。第１及び第２の内部電極２１、２３は誘電体層１０を介して積層されている。実際の積層コンデンサＣ２では、誘電体層１０の間の境界が視認できない程度に一体化されている。
【００５７】
複数の第１の内部電極２１にはそれぞれ、引き出し導体３１Ａ、３１Ｂの何れかが一つずつ形成されている。引き出し導体３１Ａは、積層体１の第１の側面１ａに引き出されるように第１の内部電極２１から伸びている。引き出し導体３１Ｂは、積層体１の第２の側面１ｂに引き出されるように第１の内部電極２１から伸びている。
【００５８】
各第１の内部電極２１は、引き出し導体３１Ａ、３１Ｂを介して２つある第１の端子電極３Ａ、３Ｂのうちいずれか一つに電気的に接続されている。また、２つの第１の端子電極３Ａ、３Ｂはそれぞれ、複数の第１の内部電極２１の少なくとも１つに電気的に接続されている。
【００５９】
複数の第２の内部電極２３にはそれぞれ、引き出し導体３３Ａ、３３Ｂの何れかが一つずつ形成されている。引き出し導体３３Ａは、積層体１の第１の側面１ａに引き出されるように第２の内部電極２３から伸びている。引き出し導体３３Ｂは、積層体１の第２の側面１ｂに引き出されるように第２の内部電極２３から伸びている。
【００６０】
各第２の内部電極２３は、引き出し導体３３Ａ、３３Ｂを介して２つある第２の端子電極５Ａ、５Ｂのうちいずれか一つに電気的に接続されている。また、２つの第２の端子電極５Ａ、５Ｂはそれぞれ、複数の第２の内部電極２３の少なくとも１つに電気的に接続されている。
【００６１】
次に、第２のコンデンサ部１３の構成について説明する。第２のコンデンサ部１３は、複数（本実施形態では、４層）の誘電体層１０と、複数（本実施形態では各２層）の第３及び第４の内部電極２５、２７とを含む。実際の積層コンデンサＣ２では、誘電体層１０の間の境界が視認できない程度に一体化されている。
【００６２】
第３及び第４の内部電極２５、２７の積層数は、第１及び第２の内部電極２１、２３の積層数と異なる。本実施形態では、第３及び第４の内部電極２５、２７の積層数は各２層であり、第１及び第２の内部電極２１、２３の積層数（各４層）に比べて少ない。
【００６３】
また、積層体１では、図６に示すように、第１又は第３の内部電極２１、２５と第２又は第４の内部電極２３、２７とが、積層方向に沿って交互に配置されている例が示されている。すなわち、第３の内部電極２５は、第１及び第２の内部電極２１、２３が交互に配置されているとした場合の第１の内部電極２１の位置に配置されている。第４の内部電極２７は、第１及び第２の内部電極２１、２３が交互に配置されているとした場合の第２の内部電極２３の位置に配置されている。
【００６４】
積層コンデンサＣ２では、第１のコンデンサ部１１と第２のコンデンサ部１３とが並列に接続される関係となる。第１及び第２の内部電極２１、２３の積層数と第３及び第４の内部電極２５、２７の積層数とは異なるため、第１のコンデンサ部１１の静電容量Ｃ１１と第２のコンデンサ部１３の静電容量Ｃ１３とが異なる。そのため、第２実施形態に係る積層コンデンサＣ２では、第１実施形態に係る積層コンデンサＣ１同様、広い周波数帯域にわたっての低インピーダンス化が可能となる。
【００６５】
特に、積層コンデンサＣ２では、第１及び第２の内部電極２１、２３の積層数に比して、第３及び第４の内部電極２５、２７の積層数が少ない。そのため、第２のコンデンサ部１３の静電容量Ｃ１３は、第１のコンデンサ部１１の静電容量Ｃ１１に比べて小さくなる。したがって、第２のコンデンサ部１３は第１のコンデンサ部１１だけではインピーダンス特性を良好にできない高周波数帯において、低インピーダンス化を担うこととなる。その結果、積層コンデンサＣ２では、高周波数帯域においてもインピーダンスを低下させることが可能となる。
【００６６】
また、第１〜第４の内部電極２１、２３、２５、２７は、引き出し導体３１Ａ、３１Ｂ、３３Ａ、３３Ｂ、３５、３７を介して第１〜第４の端子電極３Ａ、３Ｂ、５Ａ、５Ｂ、７、９にそれぞれ接続される。さらに、積層体１の第１〜第４の側面１ａ〜１ｄ上においては、積層体１の積層方向と平行な側面に沿って積層方向と交差するように周回する方向に関して、第１の端子電極群に含まれる第１及び第３の端子電極３Ａ、３Ｂ、７の何れかと、第２の端子電極群に含まれる第２及び第４の端子電極５Ａ、５Ｂ、９の何れかとが交互に配置されている。そのため、第１の端子電極群（第１及び第３の端子電極３Ａ、３Ｂ、７）と第２の端子電極群（第２及び第４の端子電極５Ａ、５Ｂ、９）とを異なる極性に接続した場合、積層体１の側面に沿って周回する方向で見て、異なる極性に接続されている端子電極が交互に配置されることとなる。これにより、積層体１の側面に沿って周回する方向に関して隣り合う引き出し導体には、互いに逆向きの電流が流れることととなる。その結果、これらの電流に起因して発生する磁界が相殺され、この積層コンデンサＣ２では等価直列インダクタンスが低減されることとなる。
【００６７】
このように、積層コンデンサＣ２では、等価直列インダクタンスの低減を図りつつ、広帯域にわたって低インピーダンス化を図ることが可能となる。また、本実施形態では、第３の内部電極２５と第４の内部電極２７とが、積層体１の積層方向で互いに隣り合わないように配置されている。すなわち、第３の内部電極２５と第４の内部電極２７との間に第１及び第２の内部電極２１、２３の双方又はいずれか一方が位置するように配置されている。
【００６８】
以上、本発明の好適な実施形態について詳細に説明したが、本発明は上記実施形態に限定されるものではない。例えば、誘電体層１０の積層数、第１及び第２の内部電極２１、２３の積層数、及び第３及び第４の内部電極２５、２７の積層数は、上述した実施形態に記載された数に限られない。また、端子電極３Ａ〜３Ｄ、５Ａ〜５Ｄ、７、９の数も、上述した実施形態に記載された数に限られない。第１及び第２の端子電極は２つ以上であればよく、第３及び第４の端子電極は１つ以上であればよい。また、第１のコンデンサ部１１及び第２のコンデンサ部１３の積層方向での位置は、上述した実施形態に記載された位置に限られない。また、第１のコンデンサ部１１に含まれる第１の内部電極２１の数と第２の内部電極２３の数とは、必ずしも同じでなくてもよい。また、第２のコンデンサ部１３に含まれる第３の内部電極２５の数と第４の内部電極２７の数とは、必ずしも同じでなくてもよい。また、積層体１の形状は直方体に限られない。
【図面の簡単な説明】
【００６９】
【図１】第１実施形態に係る積層コンデンサの斜視図である。
【図２】第１実施形態に係る積層コンデンサに含まれる積層体の分解斜視図である。
【図３】第１実施形態に係る積層コンデンサの等価回路図である。
【図４】第１実施形態に係る積層コンデンサの周波数に関するインピーダンス特性を表すグラフである。
【図５】第２実施形態に係る積層コンデンサの斜視図である。
【図６】第２実施形態に係る積層コンデンサに含まれる積層体の分解斜視図である。
【符号の説明】
【００７０】
Ｃ１、Ｃ２…積層コンデンサ、１…積層体、３Ａ〜３Ｄ…第１の端子電極、５Ａ〜５Ｄ…第２の端子電極、７…第３の端子電極、９…第４の端子電極、１０…誘電体層、１１…第１のコンデンサ部、１３…第２のコンデンサ部、２１…第１の内部電極、２３…第２の内部電極、２５…第３の内部電極、２７…第４の内部電極、３１Ａ〜３１Ｄ、３３Ａ〜３３Ｄ、３５、３７…引き出し導体
【図１】
2006286731.tif 000003
【図２】
2006286731.tif 000004
【図３】
2006286731.tif 000005
【図４】
2006286731.tif 000006
【図５】
2006286731.tif 000007
【図６】
2006286731.tif 000008